【事件の表示】
　特願２００２−２３２６２１「再生装置」拒絶査定不服審判事件〔平成１５年　５月１６日出願公開、特開２００３−１４１８５４〕について、次のとおり審決する。
【結　論】
　本件審判の請求は、成り立たない。
【理　由】
１．手続の経緯の概要・本願発明
　本願は、平成４年１０月１５日に出願した特願平４−２７７３８８号の一部を平成１４年８月９日に新たな特許出願としたものであって、平成１７年５月６日付けで手続補正がなされ、平成１７年６月１５日付けで拒絶査定がなされたところ、平成１７年７月２１日に拒絶査定に対する審判が請求されるとともに、平成１７年８月１７日付けで手続補正がなされたものである。
　
　そして、本願の請求項１乃至３に係る発明は、平成１７年８月１７日付けの手続補正によって補正された明細書の特許請求の範囲の請求項１乃至３に記載された事項により特定されるとおりのものと認められるところ、その請求項１に係る発明は次のとおりである。
「【請求項１】　複数のトラックと当該複数のトラックに付与されるトラック番号からなる管理データとが記録された記録媒体から情報を再生し、上記管理データに基づいて上記複数のトラックを順次再生する再生手段と、
　データを蓄積するメモリ手段と、
　上記記録媒体に記録されている複数のトラックのトラック番号が表示される表示手段と、
　上記表示手段に表示されている複数のトラック番号から所定のトラック番号の選択を指示する操作手段と、
　上記操作手段により所定のトラック番号が選択されたとき当該選択されたトラック番号の表示を選択表示し、複数のトラックの再生順序を上記操作手段によりトラック番号が選択された順序に対応するように並び換え、並び換えた順序にて複数のトラックの再生処理を行うと共に当該並び換えた再生順序に基づいて上記管理データを変更し、当該変更した管理データを上記記録媒体に記録させるシステムコントローラと、
　から構成される再生装置。」（以下、「本願発明」という。）
　
２．刊行物
（１）引用例１
　これに対し、原査定の拒絶の理由で引用された、本願の出願前である昭和６３年９月９日に頒布された刊行物である特開昭６３−２１７５８７号公報（以下、「引用例１」という。）には、ディスク記録再生装置に関して図面とともに次の技術事項が記載されている。なお、下線は当審で付与した。
　
（イ）「Ｂ　発明の概要
　本発明は、例えば、記録再生可能なコンパクトディスク（ＣＤ）の記録再生装置のように、予め絶対アドレスを与えた記録可能ディスクにプログラク領域とリードイン領域を設け、上記プログラク領域に演奏情報等のデータを記録するとともに、上記プログラム領域の記録内容を示す目録情報を上記リードイン領域に記録し、上記リードイン領域の目録情報に基づいて上記プログラム領域の再生を行うディスク記録再生装置において、
リードイン領域の目録情報を再生して任意の順番に並べ換えて再記録できるようにした
　
（ロ）「そこで、本発明は、上述の如き問題点に鑑み、予め絶対アドレスを与えた記録可能ディスクにプログラク領域とリードイン領域を設け、上記プログラク領域に演奏情報等のデータを記録するとともに、上記プログラム領域の記録内容を示す目録情報を上記リードイン領域に記録し、上記リードイン領域の目録情報に基づいて上記プログラム領域の再生を行うディスク記録再生装置において、
プログラム領域に記録した情報の再生順序を上記リードイン領域の目録情報により任意に指定できるようにすることを目的とし、上記リードイン領域の目録情報を再生して任意の順番に並べ換えて再記録する機能を備えた新規な構成のディスク記録再生装置を提供する
　
（ハ）「Ｅ　問題点を解決するための手段
　本発明は、上述の問題点を解決するために、予め絶対アドレスを与えた記録可能ディスクにプログラク領域とリードイン領域を設け、上記プログラク領域に演奏情報等のデータを記録するとともに、
上記プログラム領域の記録内容を示す目録情報を上記リードイン領域に記録し、上記リードイン領域の目録情報に基づいて上記プログラム領域の再生を行うディスク記録再生装置において、上記リードイン領域から再生される目録情報を記憶する目録情報記憶手段と、上記目録情報記憶手段に記憶した目録情報の順番を任意に並べ換える並べ換え制御手段と、上記目録情報の順番を指定する操作入力手段と、順番を並べ換えた目録情報を上記目録情報記憶手段から読み出して記録可能ディスクのリードイン領域に再記録する記録手段とを設けた
Ｆ　作用
　
本発明では、記録可能ディスクのリードイン領域から再生される目録情報を目録情報記憶手段に記憶し、操作入力手段にて指定される任意の順番に並べ換え制御手段により並べ換える。そして、順番を並べ換えた目録情報を上記目録情報記憶手段から読み出して記録可能ディスクのリードイン領域に再記録する。上記リードイン領域に再記録した目録情報は、プログラム領域に記録されている各データの新たな再生順序を示す
　
（ニ）「
上記光学ヘッド１１により上記記録可能ディスク１から読み出される再生ＲＦ信号
上記記録可能ディスク１のデータ記録領域５から再生される再生信号は、上記ＭＯ再生アンプ１５を介して再生処理回路１８に供給され所定の信号処理が行われる。
上記記録可能ディスク１のプログラム領域６から再生される演奏情報が上記再生処理回路１８よりデジタル・アナログ（Ｄ／Ａ）コンバータ２０に供給され、該Ｄ／Ａコンバータ２０にてアナログ化してバッファアンプ２０を介して信号出力端子２２から再生音声信号Ｓｏとして出力されるようになっている。また、上記記録可能ディスク１のリードイン領域６から再生されるＴＯＣ情報が上記再生処理回路１８からＴＯＣバッファメモリ１９に供給され、該バッファメモリ１９に記憶されるようになっている
　
（ホ）「ここで、
上記記録可能ディスク１は、そのプログラム領域６に例えば６０分の演奏情報を記録可能で、
既に５曲分の演奏情報が記録されいるものとし、そのリードイン領域７には、上記プログラム領域６の記録内容を示す目録（ＴＯＣ）情報として、上記第１ないし第５の曲目の各記録領域をその曲番号とともに絶対的な時間情報（絶対アドレスデータ）にて示す第１表のようなＴＯＣ情報が記録されているものとする
　
（ヘ）「Ｇ−２　ディスク記録再生装置の動作
　
このディスク記録再生装置は、第３図のフローチャートに示すように、動作開始時に、記録可能ディスク１が装着（ステップ１０１）されると、先ず、上記記録可能ディスク１のリードイン領域７に記録されているＴＯＣ情報を上記光学ヘッド１２にて読み取って再生しＴＯＣバッファメモリ１９に記憶する（ステップ１０２）して待機状態となる
　そして、
このディスク記録再生装置の上記マイクロコンピュータ１７は、そのキー入力処理部４０にて上記操作キー２８の操作状態を監視して制御データの入力を受け付ける待機状態において、操作キー２８の操作により再生モードが指定されると、上記ＴＯＣバッファメモリ１９に記憶しているＴＯＣ情報に基づいて、上記記録可能ディスク１のプログラム領域６から演奏情報を上記ＴＯＣ情報の曲番号順に自動的に再生するアクセス制御を行う
　
（ト）「また、
上記マイクロコンピュータ１７は、上記待機状態において、第４図のフローチャートに示すように、ＲＥＮＵＭキーの操作を受け付ける（ステップ２０１）とリナンバリングモードを設定（ステップ２０２）
リナンバリング処理後の曲番号ＴＮＯａを「１」として上記表示器２９の表示画面上にリナンバリングモードの表示（ステップ２０４）を行う
　ここで、リナンバリングモードが設定されると、
上記表示器２９の表示画面上には、
リナンバリング処理後の曲番号（ＴＮＯａ）と現在再生中の曲番号（ＴＮＯｂ）が第５図に示すように表示される
　　　　…（第２表：ＴＯＣバッファメモリの内容　省略）…
　さらに、
上記マイクロコンピュータ１７は、ＰＬＡＹキー，ＳＴＯＰキー，ＦＲキー，ＦＦキー等の操作キー２８の操作により上記記録可能ディスク１のプログラム領域６から新たな第１曲目としたい曲をアクセスして再生（ステップ２０５）している状態でＲＥＮＵＭキーの操作を受け付ける（ステップ２０６）と、上記ＴＯＣバファメモリ１９内のＴＯＣ情報について、現在再生中の曲番号（ＴＮＯｂ）をリナンバリング処理後の新たな曲番号（ＴＮＯａ）に書き替えるとともにフラグをセット（ステップ２０７）する。そして、リナンバリング処理後の新たな曲番号（ＴＮＯａ）をインクリメントして上記表示器２９の表示画面上に表示（ステップ２０８）し、上記ステップ２０５のアクセス再生動作に戻る
　また、上記ステップ２０６においてＲＥＮＵＭキーの操作を受け付けなかった場合には、ＳＴＯＰキーの操作状態を監視（ステップ２０９）して、このステップ２０９においてＳＴＯＰキーの操作を受け付けない場合には上記ステップ２０５のアクセス再生動作に戻り、
上記記録可能ディスク１のプログラム領域６に記録されている各曲目を次々に再生しながら再生中の曲番号（ＴＮＯｂ）に新たな曲番号（ＴＮＯａ）を指定してリナンバリングを行う
　　　　…（第３表：ＴＯＣバッファメモリの内容　省略）…
　そして、
上記ステップ２０９において、上記ＳＴＯＰキーの操作を受け付ると、上記ＴＯＣバファメモリ１９内のＴＯＣ情報について、フラグのセットされていない曲の曲番号にフラグのセットされた曲番号の最大のものに続く番号を小さい順に割り当て（ステップ２１０）て、第４表に示すように曲番号順の並べ換えて全てのフラグをクリア（ステップ２１１）してから、リナンバリングモードを解除（ステップ２１２）して待機状態となる
　
（チ）「
さらに、このディスク記録再生装置は、上記待機状態において、上記操作キー２８の操作によりエジェクトモードが指定されると、第６図のフローチャートに示すように、先ず、上記ＴＯＣバッファメモリ１９に記憶されているＴＯＣ情報を上記光学ヘッド１２にて上記記録可能ディスク１のリードイン領域７に記録（ステップ３０１）してから、エジェクト動作（ステップ３０２）を行って動作を終了する
　
（リ）「〔発明の効果〕
　
本発明では、記録可能ディスクのリードイン領域から再生される目録情報を操作入力手段にて指定される任意の順番に並べ換えて上記リードイン領域に再記録することができるので、上記記録可能ディスクのプログラム領域に記録した情報の再生順序を上記リードイン領域の目録情報により任意に且つ簡単に指定することができる
　
　これらの記載事項と図面の記載とを総合勘案すると、引用例１には、次の発明（以下、「引用例１発明」という。）が記載されていると認められる。
　
「複数の曲と当該複数の曲に付与される曲番号からなるＴＯＣ情報とが記録された記録可能ディスクから曲とＴＯＣ情報を再生する光学ヘッドと、ＭＯ再生アンプ及び再生処理回路と、
　上記ＴＯＣ情報に基づいて上記複数の曲を順次再生するマイクロコンピュータと、
　上記ＴＯＣ情報を記憶するＴＯＣバッファメモリと、
　第１曲目から始まるリナンバリング処理後の曲番号と現在再生中の曲番号を表示する表示器と、
　上記マイクロコンピュータは、曲をアクセスして再生する操作キーとＲＥＮＵＭキーにより、上記ＴＯＣバッファメモリ内のＴＯＣ情報についてＲＥＮＵＭキーの操作時点で再生中の曲番号をリナンバリング処理後の新たな曲番号に書き替えるとともに、リナンバリング処理後の新たな曲番号をインクリメントして上記表示器に表示して、記録可能ディスクに記録されている各曲目を次々に再生しながら再生中の曲番号に新たな曲番号を指定して上記ＴＯＣバッファメモリ内のＴＯＣ情報を任意の順番で並べ換え、
　並べ換えた上記ＴＯＣ情報を上記記録可能ディスクに再記録する、
記録再生装置。」
　
（２）引用例２
　また、原査定において引用された、本願の出願前である平成２年１０月２９日に頒布された刊行物である特開平２−２６５０８５号公報（以下、「引用例２」という。）には、ディスクプレーヤに関して図面とともに次の技術事項が記載されている。なお、下線は当審で付与した。
　
（ヌ）「ディスクプレーヤ、例えば、コンパクトディスクプレーヤには、
コンパクトディスクに記録されている情報を読み取ってそのディスクに記録されている全曲番をリスト表示する機能
　第７図は、その表示部８の一例を示しており、この表示部８の右側の領域の、いわゆる、ミュージックカレンダ部８ａには、１から２０までの曲番を表示できるようになっている。このディスクプレーヤに、コンパクトディスクを装着してディスク情報が読み取られ、
例えば、１３曲入りのコンパクトディスクである場合には、前記表示部８のミュージックカレンダ部８ａには、第８図（Ａ）に示されるように、曲番の１から１３までが点灯表示される
　
（ル）「
このように全曲番のリスト表示を行っている状態において、再生しようとする曲を予め選択する操作、いわゆる、プログラム選曲操作を行うと、その選択された曲番のみが点灯表示され、他の曲番は、すべて消灯されるようになっている。例えば、２曲目を最初に選択すると、第８図（Ｂ）に示されるように、曲番２のみが点灯して他の曲番はすべて消灯し、さらに、５曲目を選択すると、第８図（Ｃ）に示されるように、曲番２および５のみが点灯するというように、選択された曲番のみが点灯し、他の曲番はすべて消灯するようになっている
　
（ヲ）「本発明では、上述の目的を達成するために、
装着されたディスクに記録されている全曲番を表示部にリスト表示する機能および予め選択された曲番を記憶してその選択された曲を順次再生するプログラム選曲機能を備えるディスクプレーヤにおいて、
前記選択の際の前記表示部における曲番の表示を制御する表示制御手段
この表示制御手段は
選択された曲番を順次点灯表示させる
　
（ワ）「
この実施例のＣＤプレーヤは、コンパクトディスク１が装着されると、そのディスク１に記録されている情報ＴＯＣ（Table Of Contents）を読み取ってディスク１に記録されている全曲番を第２図および第３図に示される表示部８のミュージックカレンダ部８ａにリスト表示する。例えば、１３曲入りのコンパクトディスクである場合には、第４図（Ａ）に示されるように、ミュージックカレンダ部８ａの曲番の１から１３までが点灯することになる
　
また、このＣＤプレーヤは、予め操作部７の操作によって選択された曲番を記憶してその選択された曲を順次再生するプログラム選曲機能を有している
　このような全曲番のリスト表示およびプログラム選曲は、従来例のＣＤプレーヤと同様である。
　この実施例では、再生しようとする曲番を予め選択する際、すなわち、プログラム選曲する際の操作性の向上を図るために、表示部８における表示を次のようにしている。
　すなわち、従来では、選択された曲番のみを点灯表示していたけれども、本発明では、選択された曲番を順次点灯表示させるとともに、最終の曲番を点滅表示させるようにしている。
　このため、選択された曲番が、コンパクトディスク１に記録されている最終の曲番であるか否かを判別する判別手段と、この判別手段の出力に基づいて、選択の際の表示部８における曲番の表示を制御する表示制御手段とを設けており、この表示制御手段は、最終の曲番が選択されるまでは、選択された曲番を順次点灯表示させるとともに、最終の曲番を点滅表示させ、最終の曲番が選択されたときには、最終の曲番を含む選択されたすべての曲番を点灯表示させるようにしている。
　この判別手段および表示制御手段は、上述のマイクロコンピュータ９によって構成される。
　以上の構成を有するＣＤプレーヤのプログラム選曲操作の際の表示動作を説明する。
　
先ず、コンパクトディスク１が装着されると、そのディスク１に記録されている全曲番が表示部８のミュージックカレンダ部８ａにリスト表示される。例えば、１３曲入りのコンパクトディスクである場合には、表示部８のミュージックカレンダ部８ａの１番から１３番までが点灯することによりリスト表示される
　
次に、第２図に示される置数キー１０あるいはアップ、ダウンキー１１を操作することにより、再生しようとする所望の曲番を選択して表示部８の左側の領域８ｂに表示させ、選曲メモリのセットを行うと、第４図（Ｂ）に示されるように、表示部８のミュージックカレンダ部８ａには、選択された曲番、例えば、２が点灯する
他の曲番は消灯する
　
以下、同様にして再生しようとする曲番、例えば、５，９を順次選択すると、第４図（Ｃ）に示されるように、その曲番５，９が順次点灯する
　なお、最終曲番１３が選択されたときには、点滅表示から点灯表示に移行する。」（第２頁左下欄第２０行〜第３頁右上欄第１９行）
　
（３）引用例３
　また、原査定の拒絶の理由で引用された、本願の出願前である平成４年８月１８日に頒布された刊行物である特開平４−２２８１６４号公報（以下、「引用例３」という。）には、ディスク記録再生装置に関して図面とともに次の技術事項が記載されている。なお、下線は当審で付与した。
　
（カ）「【０００２】
【従来の技術】
従来より、例えば音声信号等をデジタル化して記録して成る光学式ディスク、いわゆるコンパクトディスク（ＣＤ）が知られている。このコンパクトディスクを再生するためのプレーヤの多くは、プログラム再生機能を有しており、ディスク中の曲を自由に選び希望する順序で再生することができるようになっている。
　
（ヨ）「【０００５】
【課題を解決するための手段】本発明に係るディスク記録再生装置は、前述した課題を解決するために、
光記録可能なディスクの演奏情報等の記録領域に記録された複数の曲を選曲キーの操作によって選曲し、プログラム情報としてプログラム記憶手段に記憶し、このプログラム情報を上記ディスクの演奏情報等の記録領域に近接して設けられたリードイン領域に記録する
　
（タ）「【００１５】続いて、上述したような構成を有するディスク記録再生装置における
プログラム情報のストア動作
選曲キーであるテン・キー３０を用いて例えばプログラム再生の１番最初に再生を希望する曲を選曲する（ステップ１０２）
プログラム・キー２９を押すことにより（ステップ１０４）、選ばれた曲番号（表示中）がプログラムメモリ２０に記憶（ストア）される（ステップ１０５）
上記ステップ１０６において、メモリ・キー３１が押されなかった場合には、プログラム再生・キー３２が押されたか否かの判別がなされる（ステップ１０８）。このステップ１０８において、プログラム再生・キー３２が押された場合には、上記プログラムメモリ２０の内容（プログラム情報）に従ってプログラム再生が行われる（ステップ１０９）
【００１６】すなわち、上記ステップ１０２〜ステップ１０５がくり返し実行されることにより、複数の曲を順次選曲してプログラムを作成することができ、一プログラムが完成した時点でメモリ・キー３１を押せば、プログラム情報がプログラムメモリ２０から読み出されディスク１のリードイン領域６に記録される。また、
メモリ・キー３１を押す以前に、プログラム再生・キー３２を押せば、ディスク１のリードイン領域６にプログラム情報を書き込まずにプログラム再生を行うことができる
　
３．対比
　本願発明と引用例１発明とを対比する。
　
(i)本願発明の「トラック」及び「トラック番号」について、明細書の段落【００１４】に「トラック名（曲名）」「例えば１６トラック（１６曲）」等と、また、段落【００２０】【００２１】に「トラック番号１のアドレスに記録された曲」「ディスクに記録された楽曲データのトラック番号」等と記載されていることからすると、「トラック」とは「曲」乃至は「楽曲」のことであり、「トラック番号」とはそれらに付けられた番号のことと解されるべきであるから、引用例１発明の「曲」及び「曲番号」は、それぞれ本願発明の「トラック」及び「トラック番号」に相当する。
　
(ii)引用例１発明の「ＴＯＣ情報」は、記録可能ディスクの記録内容を表す目録情報であるから（上記２．（１）．（ホ）参照）、本願発明の「管理データ」に相当する。
　
(iii)引用例１発明の「記録可能ディスク」は、本願発明の「記録媒体」に相当する。
　
(iv)引用例１発明において、「光学ヘッド」「ＭＯ再生アンプ」「再生処理回路」によってディスクから曲とＴＯＣ情報を再生し、「マイクロコンピュータ」によってＴＯＣ情報に基づいて複数の曲を順次再生しているから、これらの手段は本願発明の「再生手段」に相当する。
　
(v)引用例１発明の「ＴＯＣ情報を記憶するＴＯＣバッファメモリ」であるが、ＴＯＣ情報はデータであることから、本願発明の「データを蓄積するメモリ手段」に相当する。
　
(vi)引用例１発明の「表示器」は、リナンバリングしようとする曲の曲番号が表示される点で、本願発明の「トラック番号が表示される表示手段」に相当する（上記２．（１）．（ト）参照）。
　
(vii)引用例１発明の「曲をアクセスして再生する操作キーとＲＥＮＵＭキー」は、リナンバリングしようとする曲を選択する手段において本願発明の「所定のトラックの選択を指示する操作手段」に相当する（上記２．（１）．（ト）参照）。
　
(viii)引用例１発明の「上記マイクロコンピュータは、曲をアクセスして再生する操作キーとＲＥＮＵＭキーにより、上記ＴＯＣバッファメモリ内のＴＯＣ情報についてＲＥＮＵＭキーの操作時点で再生中の曲番号をリナンバリング処理後の新たな曲番号に書き替えるとともに、リナンバリング処理後の新たな曲番号をインクリメントして上記表示器に表示して、記録可能ディスクに記録されている各曲目を次々に再生しながら再生中の曲番号に新たな曲番号を指定して上記ＴＯＣバッファメモリ内のＴＯＣ情報を任意の順番で並べ換え、並べ換えたＴＯＣ情報を記録可能ディスクに再記録する」であるが、
・「曲をアクセスして再生する操作キーとＲＥＮＵＭキー」が、本願発明の「所定のトラックの選択を指示する操作手段」に相当すること（上記(vii)参照）、
・「ＴＯＣバッファメモリ内のＴＯＣ情報を任意の順番で並べ換え、」の「順番」は、記録可能ディスクに記録されている複数の曲の再生順序であることは明らかであること、
・「上記マイクロコンピュータ」が、「ＴＯＣバッファメモリ内のＴＯＣ情報」の「順番」を「曲をアクセスして再生する操作キーとＲＥＮＵＭキー」により選択された順番に並べ換えることで、該「ＴＯＣ情報」を変更していることは明らかであること、
・「並べ換えたＴＯＣ情報を記録可能ディスクに再記録する」動作が「上記マイクロコンピュータ」によって行われることは明らかであること、
・「ＴＯＣ情報」が「管理データ」であること（上記(ii)参照）、
等々を総合すると、本願発明の「複数のトラックの再生順序を操作手段によりトラックが選択された順序に対応するように並べ換え、当該並べ換えた再生順序に基づいて管理データを変更し、当該変更した管理データを上記記録媒体に記録させるシステムコントローラ」に相当する。
　
(ix)引用例１発明の「記録再生装置」は、本願発明の「再生装置」に相当する。
　
　したがって、本願発明と引用例１発明とを対比すると、両者は、
　
「複数のトラックと当該複数のトラックに付与されるトラック番号からなる管理データとが記録された記録媒体から情報を再生し、上記管理データに基づいて上記複数のトラックを順次再生する再生手段と、
　データを蓄積するメモリ手段と、
　上記記録媒体に記録されているトラックのトラック番号が表示される表示手段と、
　上記表示手段に表示されている所定のトラックの選択を指示する操作手段と、
　複数のトラックの再生順序を上記操作手段によりトラックが選択された順序に対応するように並び換え、並び換えた再生順序に基づいて上記管理データを変更し、当該変更した管理データを上記記録媒体に記録させるシステムコントローラと、
　から構成される再生装置。」
　
の点で一致し、以下の点で相違する。
　
（相違点１）
　再生順序を並び換える複数のトラックの選択及びその表示手法に関し、本願発明では、表示手段が記録媒体に記録されている「複数の」トラックのトラック番号を表示し、操作手段により上記表示手段に表示されている「複数のトラック番号」から所定のトラック「番号」の選択をし、システムコントローラが「上記操作手段により所定のトラック番号が選択されたとき当該選択されたトラック番号の表示を選択表示している」のに対し、引用例１発明では上記複数のトラックのトラック番号表示、トラック番号の選択、及びトラック番号の選択表示について特段の言及がない点。
　
（相違点２）
　再生順序の並べ換え後の処理に関し、本願発明では、並べ換えた順序にて複数のトラックの再生処理を行うのに対し、引用例１発明では当該再生処理について特段の言及がない点。
　
４．判断
　そこで、上記相違点について検討する。
　
（相違点１について）
　引用例２には、ミュージックカレンダ部がディスクに記録されている複数の曲の曲番号を表示し、操作部がミュージックカレンダ部に表示されている複数の曲の曲番号から所定の曲番号の選択をし、マイクロコンピュータが上記操作部により所定の曲番号が選択されたとき当該選択された曲番号の表示を選択表示し、再生しようとする曲番を順次選択するプログラム選曲機能が示されているとともに（上記２．（２）．（ワ）参照）、このプログラム選曲機能がディスクに記録された複数の曲の曲番号を順次選択することでその再生順序を並べ換えるものであることは明らかであるから、引用例１発明において、引用例２のプログラム選曲機能を適用して、再生順序を並べ換える複数のトラックの選択及びその表示手法として、表示手段が記録媒体に記録されている複数のトラックのトラック番号を表示し、操作手段により上記表示手段に表示されている複数のトラック番号から所定のトラック番号の選択をし、システムコントローラは上記操作手段により所定のトラック番号が選択されたとき当該選択されたトラック番号の表示を選択表示するようになすことは当業者であれば容易に想到し得たものである。
　
（相違点２について）
　引用例３には、プログラム再生したい複数のトラックの選曲後に、プログラム・再生キーの押下によりプログラム情報に従ってプログラム再生が行われる点が示されており、プログラム情報が選曲操作によって並べ換えられたトラックの再生順序であることは明らかであるから、引用例１発明において、引用例３の再生機能を適用して、再生順序の並べ換え後に並べ換えた順序にて複数のトラックの再生処理を行うことは当業者であれば容易に想到し得たものである。
　
　そして、各相違点についての判断を総合しても、本願発明の奏する効果は各引用例から当業者が十分に予測可能なものであって格別のものとはいえない。
　よって、本願発明は、引用例１発明、及び引用例２，３の技術事項から当業者が容易に想到し得たものである。
　
５．むすび
　以上のとおり、本願の請求項１に係る発明は、その出願前日本国内又は外国において頒布された刊行物に記載された発明に基づいて当業者が容易に発明をすることができたものであるから、特許法第２９条第２項の規定により特許を受けることができない。 
　したがって、本願は、その余の請求項について論及するまでもなく、拒絶すべきものである。
　
　よって、結論のとおり審決する。